(57)【特許請求の範囲】
【請求項１】
顎模型の上方に直立して前記顎模型の左右中心線と平行に保持される磁性材料からなる分析板と、
前記分析板に磁力により吸着可能であり、前記磁力による吸着方向に貫通する円形の支持穴が形成された磁石と、
磁性材料からなり、前記支持穴の内径より大きな直径を有し、前記支持穴に吸着され得る球体部と、前記球体部から延伸する延設部と、前記延設部の先端からさらに延伸して前記球体部と同心の円弧を描く球面再現部とからなるモンソンカーブ付与具とを含むことを特徴とする咬合平面分析器。
【請求項２】
前記分析板は、自身の厚みの中心、その表面に前記磁石が吸着した場合の前記支持穴に吸着する前記球体部の中心、および、その裏面に前記磁石が吸着した場合の前記支持穴に吸着する前記球体部の中心のいずれかを選択的に前記顎模型の左右中心線の直上に配置できる位置決め手段を備えることを特徴とする請求項１に記載の咬合平面分析器。
【請求項３】
前記延設部は、途中で屈曲していることを特徴とする請求項１または２に記載の咬合平面分析器。
【請求項４】
前記磁石は、高摩擦のシートを介して前記分析板に吸着することを特徴とする請求項１から３のいずれかに記載の咬合平面分析器。
【請求項５】
前記請求項１から４のいずれかに記載の咬合平面分析板を備えることを特徴とする咬合器。
【請求項６】
顎模型の上方に磁性材料からなる分析板を直立して前記顎模型の左右中心線と平行に保持し、
前記分析板に、前記顎模型上の２つの基準点を中心として所定半径の円弧をそれぞれ描記し、
表裏に貫通する円形の支持穴が形成された磁石を前記分析板に、前記分析板に描かれた２つの円弧の交点に前記支持穴の中心を合わせて吸着させ、
前記支持穴に、磁性材料からなり、前記支持穴の内径より大きな直径を有する球体部と、前記球体部から延伸する延設部と、前記延設部の先端からさらに延伸して前記球体部と同心の円弧を描く球面再現部とからなるモンソンカーブ付与具の、前記球体部を吸着させ、
前記球体部を前記支持穴上で摺動回転させて、前記球面再現部で前記顎模型上に咬合平面を描くことを特徴とする咬合平面分析方法。
【請求項７】
前記分析板への円弧の描記は、前記分析板の板面に感圧紙を当てて、前記顎模型上の基準点に前記球面再現部を当接させた状態で前記感圧紙上に前記球体部を圧接することで行うことを特徴とする請求項６に記載の咬合平面分析方法。
【発明の詳細な説明】
【技術分野】
【０００１】
本発明は、咬合平面の分析および補綴物の制作に際する咬合平面の決定に用いる咬合平面分析器および咬合器並びに咬合平面分析方法に関する。
【背景技術】
【０００２】
歯の咬合面が連続して作る咬合平面は、概ね、半径４インチの球面（モンソン球面）を描くことが知られている。
【０００３】
咬合平面を分析する咬合平面分析器として、ブロードリック咬合平面分析板が用いられている。ブロードリック咬合平面分析板は、先ず、非特許文献１および２に記載されているように、下顎模型の上部に保持される平面板に、コンパスを用いて、犬歯遠心隅角部と、最後臼歯遠心頬側咬頭頂または咬合器の顆頭球とから４インチの円弧を描記し、その交点を咬合平面分析点（モンソンカーブの中心点）とする。そして、咬合平面分析点から、コンパスを用いて、下顎模型に４インチの円弧を描記し、この円弧を頬側咬頭頂を連ねた咬合平面（咬合彎曲）とする。ブロードリック咬合平面分析板では、咬合平面を描く際に、コンパスの支点がずれないように、慎重に作業する必要がある。
【０００４】
また、この咬合平面分析器では、咬合平面上の一点を指し示すことができるだけで、複数の歯が正しい咬合平面上に配置されているか否かを直感的に確認することができない。
【０００５】
特許文献１乃至３には、顎模型の上方にロッドを設け、ロッドの上端に３次元的に回動自在にアームの一端を接続し、アームの他端に円弧状の爪を設けたことで、爪の先端で咬合平面を容易に描ける咬合平面分析器が記載されている。これらの咬合平面分析器では、ロッド上端のアームの回動中心が、顎模型の犬歯遠心隅角部と、最後臼歯遠心頬側咬頭頂または咬合器の顆頭球とから４インチに位置するように、顎模型の固定位置や、ロッドの位置を調節する必要があるが、この作業が容易ではないという問題がある。
【特許文献１】特許第３６８０１３９号公報
【特許文献２】特開２００３−１９０１８６号公報
【特許文献３】特開２００３−２４５２９１号公報
【非特許文献１】今田喬士編「月刊歯科技工別冊  図解咬合の基礎知識」医歯薬出版株式会社、昭和５９年６月３０日、ｐ１１８−１２１
【非特許文献２】藤田勝治編「月刊歯科技工別冊  目で見る咬合の基礎知識」医歯薬出版株式会社、２００２年６月２５日、ｐ１０２
【発明の開示】
【発明が解決しようとする課題】
【０００６】
前記問題点に鑑みて、本発明は、咬合平面を容易に描くことができ、且つ、咬合平面分析点を容易に定めることができる咬合平面分析器および咬合器並びに咬合平面分析方法を提供することを課題とする。
【課題を解決するための手段】
【０００７】
前記課題を解決するために、本発明による咬合平面分析器は、顎模型の上方に直立して前記顎模型の左右中心線と平行に保持される磁性材料からなる分析板と、前記分析板に磁力により吸着可能であり、前記磁力による吸着方向に貫通する円形の支持穴が形成された磁石と、磁性材料からなり、前記支持穴の内径より大きな直径を有し、前記支持穴に吸着され得る球体部と、前記球体部から延伸する延設部と、前記延設部の先端からさらに延伸し、前記球体部と同心の円弧を描く球面再現部とからなるモンソンカーブ付与具とを含むものとする。
【０００８】
この構成によれば、球体部を分析板に吸着した磁石の支持穴上で摺動回転させることにより、モンソンカーブ付与具の球面再現部を３次元的に揺動させ、咬合平面を描くことができる。また、分析板にコンパスなどで顎模型の２つの基準点からモンソン球面の半径を有する円を描くことで、モンソンカーブ付与具の揺動の中心位置を容易に、モンソン球面の中心である咬合平面分析点に位置決めすることができる。また、球体部を中心に自在に揺動する円弧状の球面再現部により、歯列状態を一度に確認することができる。
【０００９】
また、本発明の咬合平面分析器において、前記分析板は、自身の厚みの中心、その表面に前記磁石が吸着した場合の前記支持穴に吸着する前記球体部の中心、および、その裏面に前記磁石が吸着した場合の前記支持穴に吸着する前記球体部の中心のいずれかを選択的に前記顎模型の左右中心線の直上に配置できる位置決め手段を備えてもよい。
【００１０】
この構成によれば、球体部および磁石の厚みによる咬合平面分析点の微小なずれを補正して、より正確な咬合平面を描くことができる。
【００１１】
また、本発明の咬合平面分析器において、前記延設部は、途中で屈曲していることが好ましい。
【００１２】
この構成によれば、上顎模型および上顎模型を支持する構造を迂回して、球面再現部を顎模型上に配置することができ、容易に咬合平面を描くことができる。
【００１３】
また、本発明の咬合平面分析器において、前記磁石は、高摩擦のシートを介して前記分析板に吸着することが好ましい。
【００１４】
この構成によれば、モンソンカーブ付与具を操作する際、磁石が分析板上で位置ずれしない。
【００１５】
また、本発明の咬合器は、前記咬合平面分析板を備えるものとする。
【００１６】
この構成によれば、咬合平面分析点を容易に定めることができ、咬合平面を描くことが容易である。
【００１７】
また、本発明による咬合平面分析方法は、顎模型の上方に磁性材料からなる分析板を直立して前記顎模型の左右中心線と平行に保持し、前記分析板に、前記顎模型上の２つの基準点を中心として所定半径の円弧をそれぞれ描記し、表裏に貫通する円形の支持穴が形成された磁石を前記分析板に、前記分析板に描かれた２つの円弧の交点に前記支持穴の中心を合わせて吸着させ、前記支持穴に、磁性材料からなり、前記支持穴の内径より大きな直径を有する球体部と、前記球体部から延伸する延設部と、前記延設部の先端からさらに延伸して前記球体部と同心の円弧を描く球面再現部とからなるモンソンカーブ付与具の、前記球体部を吸着させ、前記球体部を前記支持穴上で摺動回転させて、前記球面再現部で前記顎模型上に咬合平面を描く方法とする。
【００１８】
この方法によれば、モンソンカーブ付与具の揺動の中心となる球体部を磁石で保持するので、咬合平面分析点の位置決めが容易であり、自在に揺動する円弧状の球面再現部により複数の歯の咬合状態を一度に確認できる。
【００１９】
また、本発明による咬合平面分析方法において、前記分析板への円弧の描記は、前記分析板の板面に感圧紙を当てて、前記顎模型上の基準点に前記球面再現部を当接させた状態で前記感圧紙上に前記球体部を圧接することで行ってもよい。
【００２０】
この方法によれば、コンパスを用いることなく、モンソンカーブ付与具で咬合平面分析点の位置を定めることができる。モンソンカーブ付与具は、円弧状の球面再現部の何処を顎模型の基準位置に当接させてもよいので、作業も容易である。
【発明の効果】
【００２１】
本発明によれば、モンソンカーブ付与具の揺動の中心となる球体部を磁石で保持するので、咬合平面分析点の位置決めが容易であり、円弧状の球面再現部により歯列状態を一度に確認できる。
【発明を実施するための最良の形態】
【００２２】
これより、本発明の実施形態について、図面を参照しながら説明する。
図１は、本発明の第１実施形態である咬合器１を示す。咬合器１は、下顎模型２を保持する下弓３と、上顎模型（不図示）を保持できる上弓４と、下顎模型２および上顎模型の咬合平面を確認する咬合平面分析器５とを有する。上弓４は、下弓３に対して揺動して顎関節の動きを再現できるようになっている。
【００２３】
図２に示すように、咬合平面分析器５は、上弓４の上に固定される保持部６を備え、上弓４の上に直立して取り付けられた磁性体からなる分析板７と、分析板７に磁力によって吸着する磁石８と、磁石８に吸着されるモンソンカーブ付与具９とを有する。
【００２４】
分析板７は、保持部６の後端の嵌合部１０が上弓４の後端上部の受け部１１に嵌合し、前端の係止部１２が、上弓４にねじ１３で位置決め固定される。また、分析板７の垂直に保持される有効部分の表裏面には、描記用紙１４が貼着される。また、分析板７の有効な板面の前後方向の幅は、モンソンカーブの半径と同じ４インチに形成されている。
【００２５】
磁石８は、中央を貫通する例えば内径４ｍｍの円形の支持穴１５が形成された円板型をしている。磁石８は、その磁力によって、描記用紙１４の上から、さらに、シリコンシート１６を介して分析板７に吸着することができる。このシリコンシート１６は、摩擦係数が高いので、磁石８が分析板上で滑りにくくする。また、シリコンシート１６は、描記用紙１４が透けて見える透明性を有する。
【００２６】
モンソンカーブ付与具９は、図３に示すように、磁性体からなり、磁石８に吸着され得る球形の球体部１７と、球体部１７から直線的に延伸して、途中で屈曲した延設部１８と、延設部１８の先端から球体部１７と同心の円弧を描いて延伸する球面再現部１９とからなっている。
【００２７】
球体部１７は、支持穴１５の内径（４ｍｍ）より大きな例えば１０ｍｍの直径を有し、磁石８に吸着されたときに支持穴１５の口部の全周に亘って当接して、姿勢が安定する。球体部１７の径が支持穴１５に比して大きすぎると、球体部１７に回転力が加わったときに、球体部１７が支持穴１５から転がりでてしまう。逆に、球体部１７が支持穴１５に比して小さいと、磁石８の磁束を十分に捕捉することができず、吸着力が小さくなって脱落しやすくなる。
【００２８】
また、モンソンカーブ付与具９の球面再現部１９は、延設部１８の延伸する平面に対して、球体部１７の中心と延設部１８の先端とを結ぶ直線Ａを軸に７５°傾斜した平面内を延伸するように形成されている（図３参照）。
【００２９】
続いて、咬合器１における咬合平面分析器５の使用方法を説明する。先ず、図４に示すように、下顎模型２の最後臼歯遠心頬側咬頭頂にコンパス２０の針を当接させ、コンパス２０と揺動させることで、下顎模型２の最後臼歯遠心頬側咬頭頂を中心として、描記用紙１４に半径４インチの円弧を描く。このとき、コンパス２０で分析板７を幅方向に広げることで、コンパス２０の幅をモンソンカーブの半径である４インチに調整できるようになっている。
【００３０】
続いて、図５に示すように、下顎模型２の犬歯遠心隅角部にコンパス２０の針を当接させ、犬歯遠心隅角部を中心として、描記用紙１４に半径４インチの円弧を描く。こうして描いた２本の円弧の交点は、下顎模型２の咬合平面の中心である咬合平面分析点を示す。
【００３１】
このように、互いに交差する２本の円弧を描いたなら、図６に示すように、支持穴１５を覗きながら、支持穴１５の中心に描記用紙１４に描いた２本の円弧の交点が位置するように、シリコンシート１６を介して磁石８を分析板７に吸着させる。
【００３２】
そして、図７に示すように、磁石８の支持穴１５に、モンソンカーブ付与具９の球体部１７を吸着させる。延設部１８は屈曲しているので、咬合器１の上弓４（および上顎模型）を迂回して、球面再現部１９を下弓の上の下顎模型２上に配置することを可能にしている。
【００３３】
モンソンカーブ付与具９の延設部１８または球面再現部１９に力を加えると、球体部１７は、磁石８の磁力によって吸着されたまま、中心位置を保持しながら支持穴１５上で摺動回転し、延設部１８および球面再現部１９を３次元的に揺動および軸回転させる。このため、咬合平面分析器５は、下顎模型２上に咬合平面分析点を中心とした半径４インチの球面である咬合平面を、球面再現部１９の先端に限らず、どの部分ででも示すことができる。
【００３４】
また、モンソンカーブ付与具９は、図７に示すように、球面再現部１９を歯列の一部に沿って配置したり、図８に示すように、球面再現部１９を歯列の左右に横断するように配置するなど、自由に揺動回転することができる。つまり、咬合平面分析器５を使用すれば、複数の歯が咬合平面上に配列されているか否かを同時に確認することもできる。
【００３５】
このように、本発明に係る咬合器１を使用すれば、咬合平面の分析および補綴物の制作に際する咬合平面の決定を、容易且つ正確に行うことができる。
【００３６】
また、図９に示すように、咬合器１では、モンソンカーブ付与具９の球体部１７に磁石８を吸着させ、球面再現部１９を犬歯遠心隅角部と最後臼歯遠心頬側咬頭頂とに当接させた状態で、犬歯遠心隅角部と最後臼歯遠心頬側咬頭頂とを中心にモンソンカーブ付与具９を揺動させることで、図１０に示すように、球体部１７に吸着した磁石８を分析板７に当接させ、磁石８を分析板７に吸着させることができる。
【００３７】
このように、咬合器１では、コンパス２０を用いて描記用紙１４に円弧を描くことなく、より簡単に咬合平面分析点を定め、磁石８によってモンソンカーブ付与具９の球体部１７を分析板７に保持させることもできる。この方法によれば描画用紙１４も不要となるが、モンソンカーブ付与具９の操作中に磁石８の位置がずれないように注意を払う必要がある。
【００３８】
また、図１１に示すように、下顎模型２の最後臼歯が欠損している場合、モンソンカーブ付与具９の球面再現部１９を犬歯遠心隅角部に当接させるとともに、先端を咬合器１の顆頭球（下弓３と上弓４との揺動中心となる球体）に当接させて、球体部１７を分析板７に位置決めして磁石８により保持させてもよい。
【００３９】
さらに、図１２および図１３に、本発明の第２実施形態の咬合器１を示す。以下の説明において、第１実施形態と同じ構成要素には同じ符号を付して説明を省略する。
【００４０】
本実施形態の咬合器１の咬合平面分析器５は、上弓４の上に固定される保持板２１を備え、保持板２１の上に分析板７を取り付けるようになっている。保持板２１は、上方に突出する位置決めピン２２とねじ穴２３とが設けられている。
【００４１】
分析板７は、位置決めピン２２に係合可能な３つの前部スリット２４と、ねじ穴２３に螺合するねじ２５に係合可能な、互いに接続された３つの後部スリット２６を有し、保持板２１上の左右方向の３つの異なる位置に固定できるようになっている。
【００４２】
分析板７の前部スリット１６および後部スリット１８による保持板２１に対する３つの固定位置は、分析板７の板厚の中心を咬合器１、つまり、下弓３に保持する下顎模型２の左右中心線の直上に保持する位置と、保持部７の表面に磁石８によりモンソンカーブ付与具９を保持したときの球体部１７の中心を下顎模型２の左右中心線の直上に保持する位置と、保持部７の裏面に磁石８によりモンソンカーブ付与具９を保持したときの球体部１７の中心を下顎模型２の左右中心線の直上に保持する位置とである。
【００４３】
本実施形態では、先ず、図１４に示すように、分析板７の板厚の中心が咬合器１の中心線上に位置するように、分析版７を保持板２１上に取り付ける。分析板７の描記用紙１４の上にさらにカーボン紙（感圧紙）２７を当てて保持する。そして、下顎模型２の最後臼歯遠心頬側咬頭頂にモンソンカーブ付与具９の球面再現部１９を当接させ、球体部１７を分析板７に押し当ててカーボン紙２５を挟み込む。さらに、下顎模型２の最後臼歯遠心頬側咬頭頂を支点として、モンソンカーブ付与具９を揺動させ、球体部１７で円弧を描くようにカーボン紙２７を分析板７に押圧する。
【００４４】
続いて、図１５に示すように、下顎模型２の犬歯遠心隅角部にモンソンカーブ付与具９の球面再現部１９を当接させて、モンソンカーブ付与具９を揺動させ、球体部１７で円弧を描くようにカーボン紙２７を分析板７に押圧する。
【００４５】
カーボン紙２５を取り除くと、図１６に示すように、描記用紙１４上に、２本の円弧が描かれている。この２本の円弧は、下顎模型２の咬合平面の中心である咬合平面分析点を示す。
【００４６】
このように、互いに交差する２本の円弧を描いたなら、図１７に示すように、分析板７の円弧を描いた面の反対側にずらすように、分析板７の保持位置を変更する。そして、支持穴１５を覗きながら、支持穴１５の中心に描記用紙１４に描いた２本の円弧の交点が位置するように、シリコンシート１６を介して磁石８を分析板７に吸着させる。
【００４７】
そして、図１８に示すように、磁石８の支持穴１５に、モンソンカーブ付与具９の球体部１７を吸着させれば、延設部１８および球面再現部１９を３次元的に揺動させて、球面再現部１９により下顎模型２上に咬合平面を示すことができるため、球体部および磁石の厚みによる咬合平面分析点の微小なずれを補正して、より正確な咬合平面を描くことができる。
【００４８】
また、本実施形態の咬合器１では、図１９に示すように、分析板７に貼着した描記用紙１４の上にカーボン紙２７を当てて保持し、モンソンカーブ付与具９の球面再現部１９を犬歯遠心隅角部と最後臼歯遠心頬側咬頭頂（または咬合器１の顆頭球に）とに当接させた状態で、犬歯遠心隅角部と最後臼歯遠心頬側咬頭頂とを中心にモンソンカーブ付与具９を揺動させ、球体部１７を分析板７に押圧することで、図２０に示すように、分析板７上に咬合平面分析点を示す点を描記することもできる。
【００４９】
このように、本発明に係る咬合器１を使用すれば、咬合平面の分析および補綴物の制作に際する咬合平面の決定を、容易且つ正確に行うことができる。
【図面の簡単な説明】
【００５０】
【図１】本発明の第１実施形態の咬合平面分析器を備える咬合器の斜視図。
【図２】図１の咬合器の分解斜視図。
【図３】図１の咬合平面分析器のモンソンカーブ付与具の展開図。
【図４】図１の咬合平面分析器の使用の第１のステップを示す斜視図。
【図５】図１の咬合平面分析器の使用の第２のステップを示す斜視図。
【図６】図１の咬合平面分析器の使用の第３のステップを示す斜視図。
【図７】図１の咬合平面分析器の使用の第４のステップを示す斜視図。
【図８】図１の咬合平面分析器のモンソンカーブ付与具の可能な配置を示す斜視図。
【図９】図１の咬合平面分析器の簡易な使用の第１のステップを示す斜視図。
【図１０】図１の咬合平面分析器の簡易な使用の第２のステップを示す斜視図。
【図１１】図９の咬合平面分析器の簡易な使用の第１のステップの代案を示す斜視図。
【図１２】本発明の第２実施形態の咬合器の斜視図。
【図１３】図９の咬合器の分解斜視図。
【図１４】図９の咬合平面分析器の使用の第１のステップを示す斜視図。
【図１５】図９の咬合平面分析器の使用の第２のステップを示す斜視図。
【図１６】図９の咬合平面分析器の使用の第３のステップを示す斜視図。
【図１７】図９の咬合平面分析器の使用の第４のステップを示す斜視図。
【図１８】図９の咬合平面分析器の使用の第５のステップを示す斜視図。
【図１９】図１２の咬合平面分析器の簡易な使用の第１のステップを示す斜視図。
【図２０】図１２の咬合平面分析器の簡易な使用の第２のステップを示す斜視図。
【符号の説明】
【００５１】
１  咬合器
２  下顎模型
３  上弓
４  下弓
５  咬合平面分析器
６  保持部
７  分析板
８  磁石
９  モンソンカーブ付与具
１４  描記用紙
１５  支持穴
１６  シリコンシート
１７  球体部
１８  延設部
１９  球面再現部
２０  コンパス
２４  前部スリット
２６  後部スリット
２７  カーボン紙
【図１】
0004970194.tif 000002
【図２】
0004970194.tif 000003
【図３】
0004970194.tif 000004
【図４】
0004970194.tif 000005
【図５】
0004970194.tif 000006
【図６】
0004970194.tif 000007
【図７】
0004970194.tif 000008
【図８】
0004970194.tif 000009
【図９】
0004970194.tif 000010
【図１０】
0004970194.tif 000011
【図１１】
0004970194.tif 000012
【図１２】
0004970194.tif 000013
【図１３】
0004970194.tif 000014
【図１４】
0004970194.tif 000015
【図１５】
0004970194.tif 000016
【図１６】
0004970194.tif 000017
【図１７】
0004970194.tif 000018
【図１８】
0004970194.tif 000019
【図１９】
0004970194.tif 000020
【図２０】
0004970194.tif 000021